(57)【要約】  文字表示方法及び文字入力方法が開示される。本発明は時針の長さとその方向によって各子音を割り当てた初声と、分針の長さとその方向によって各母音を割り当てた中声、及び秒針長さを形状化して、前記初声のように子音を割り当てるが、その長さを一番短く表示した終声を含んで一つ以上の子音と母音を初声、中声、終声の組合原理によって組み合わせて音節を発生させる文字表示方法及びこのような文字表示方法を利用した文字入力方法で、より早く字を読んだり書いて覚えることができるとともに、簡単に入力することができるという効果を奏する。【選択図】図１【特許請求の範囲】
【請求項１】
時計形状に初声、中声及び終声を付与した文字表示方法において、
時針の長さとその方向によって各子音を割り当てた初声、分針の長さとその方向によって各母音を割り当てた中声及び秒針長さを形状化して、前記初声のように子音を割り当て、その長さを最も短く表示した終声を含み、一つ以上の子音と母音を初声、中声、終声の組合原理によって音節を発生させる文字表示方法。
【請求項２】
前記初声及び終声は
【数１】
2013516673.tif 000082
の８つからなる基本子音群に加画点を追加して濃音または激音を表示するようにし、前記中声は
【数２】
2013516673.tif 000083
の８つからなる基本母音群に加画点を追加して複母音を表示するようにすることを特徴とする請求項１に記載の文字表示方法。
【請求項３】
前記基本子音群と基本母音群は
【数３】
2013516673.tif 000084
の８つからなる基本子音群と
【数４】
2013516673.tif 000085
の８つからなる基本母音群をそれぞれ時計の時針及び分針が指す１２時、１．５時、３時、４．５時、６時、７．５時、９時、１０．５時を基準にそれぞれ割り当て、前記基本子音群は前記時計の時針長さで表示し、前記基本母音群は時計の分針長さで表示して区別すると同時に、それぞれ初声と中声に設定して、前記基本子音群と基本母音群に画を一つずつ加えるための加画点を含み、前記のように割り当てられた基本子音群を終声に割り当てるが、前記初声と終声よりその長さを短くして表示するようにすることを特徴とする請求項２に記載の文字表示方法。
【請求項４】
前記基本子音群は
【数５】
2013516673.tif 000086
の順に時針の１２時、１．５時、３時、４．５時、６時、７．５時、９時、１０．５時にそれぞれ割り当て、時計の中心から放射状に時針の長さだけそれぞれ表示し、前記基本母音群は
【数６】
2013516673.tif 000087
の順に１２時、１．５時、３時、４．５時、６時、７．５時、９時、１０．５時にそれぞれ割り当てて、時計の中心から放射状に分針の長さだけそれぞれ表示することを特徴とする請求項３に記載の文字表示方法。
【請求項５】
前記加画点は各
【数７】
2013516673.tif 000088
の初声及び終声表示で１次加画点を追加すればそれぞれ
【数８】
2013516673.tif 000089
の激音になり、２次加画点を追加すればそれぞれ
【数９】
2013516673.tif 000090
の濃音に表示され、各
【数１０】
2013516673.tif 000091
の初声及び終声表示で１次加画点を追加すればそれぞれ
【数１１】
2013516673.tif 000092
に表示され、中声では１次加画で
【数１２】
2013516673.tif 000093
表示され、２次加画で
【数１３】
2013516673.tif 000094
３次加画で
【数１４】
2013516673.tif 000095
に表示されることを特徴とする請求項４に記載の文字表示方法。
【発明の詳細な説明】
【技術分野】
【０００１】
本発明は文字表示に関し、時計の時針、分針、及び秒針にそれぞれ初声と中声及び終声を配置して表記することによって、より簡単且つ迅速に字を書いたり読むことができるとともに、簡単に入力することができる文字表示方法及び文字入力方法に関する。
【背景技術】
【０００２】
韓国文化の独自性を最もよく示している例がハングルであり、その効用性は他の文字と比較することができない。 
例えば、漢字は表意文字であるため、すべての文字をすべて覚えなければならないが、ハングルは英語と同じように表音文字であるため、学習が容易である。
【０００３】
それでハングルは朝字とも呼ばれる。すべての人が一日には、学ぶことができるという意味である。１０個の母音と１４個の子音を組み合わせることができるため、習得が容易で、２４文字で約８０００音を出すことができる。即ち、音をだすことができるものは全部書ける。
【０００４】
一方、日本語は漢字を模した文字であるため、漢字なしで独自の文字修行が難しく、また漢字はあまりにも学ぶのが難しい。かつて中国政府は、密かに学者たちを米国に派遣し、漢字のアルファベット化を研究したことがある。それは漢字がとても難しいため、非識字率が高く、それが国家競争力の低下を招くと考えたからである。
【０００５】
韓国人は韓国語だけで話して書く完璧な言語を実行することができる。ただし、一部の既成世代は漢字を混ぜて使用し、さらに一部教授は漢字教育を強化すべきだと主張している。
【０００６】
中国政府さえ２１世紀の未来言語とし弱点を認めた漢字に対してこのように主張するのは、一言で言うと、無政府主義的な発想であり、ハングルの世界化に完全に逆行する姿勢である。
【０００７】
ラテン語はカトリックの公式言語として使われた。慣習上または宗教的権威のためにその意味さえ分からない人々にも使われた。しかし、現在西欧でラテン語は消えていく言語に過ぎない。
【０００８】
ローマ字が不完全であることも言うまでもない。ローマ字表記に対して韓国で特に当惑する理由は色々あるが、その中で代表的なのがほとんど完璧なハングルに比べてローマ字は表現することのできない音が多すぎてどうしてもハングルで書いたものを誰もが認めるように表現することができないからである。ハングルがローマ字よりはかばかしくない文字であればむしろ一度決められたローマ字表記に皆が感激するはずである。
【０００９】
ローマ字の決定的な弱点は母音であり、Ａ、Ｅ、Ｉ、Ｏ、Ｕの５つの字しかない。これを補うものが半語音であるＷ、Ｙであるが、ハングルでは簡単に表示される
【００１０】
【数１】
2013516673.tif 000002
【００１１】
などは根本的に表記不可能である。
【００１２】
【数２】
2013516673.tif 000003
【００１３】
なども不可能である。
【００１４】
ローマ字はかなり専門家でないと音節を区分できない。ハングルは馬鹿でもできる。言い換えれば、ハングルが分かる人は馬鹿でもローマ字が分かる天才と同レベルになるということである。音素文字でありながら音節文字の長所をそのまま有している。
【００１５】
２１世紀は情報化社会である。つまり、正確な情報の量と質が国家競争力を左右するということである。非識字の根絶が情報化社会を主導することが出来るのである。
【００１６】
従って、韓国語ではない言語を使うが、文字のない民族にハングルを表記文字として普及するべきであるという主張をしたりする。
【００１７】
しかし、他の言語は韓国語と音韻体系が異なるため、偶然に韓国語と似ている音韻構造を有する場合でないと、ハングルでその言語を表記してもハングル正書法とは違う正書法の開発が必要である。
【００１８】
ハングルは初声＋中声＋終声のＣＶＣ音節構造の韓国語に基づいて組み合わせて書く方式になっているため、子音や母音をローマ字式に横につらねて書かない限り、子音群（英単語ｓｔｒｉｋｅのｓｔｒのような場合）や二重母音を表現するのに非常に弱い。このような点を無視する場合、すべての子音に母音
【００１９】
【数３】
2013516673.tif 000004
【００２０】
と音価のない語頭の
【００２１】
【数４】
2013516673.tif 000005
【００２２】
を余剰的に表記することを甘受しなければならない。子音や母音をローマ字式に横につらねて書く場合にも、母音文字と子音文字の空間造形性が互いに違って、単純配列する場合、視覚的に相当な抵抗があることから一部文字の変形が不可避である。
【００２３】
このような字の模様が変形される場合、それは大多数の韓国人に慣れたハングル知識とはかけ離れた、ハングルに基づいた新しい文字またはハングル派生文字になるだけである。
【００２４】
また特定言語がどんな文字を使うのかの問題は、政治や宗教的な問題と関連する特徴がある。旧ソビエト連邦地域で使われる小規模言語がソ連崩壊以後キリル文字からローマ字に表記体系を変えたのは、主に政治的理由（ソ連の支配に対する反感）からであり、イスラム教文化圏の言語がたびたびアラブ文字で表記されるのは文化・宗教的理由からである。即ち、文字の使用は文化的アイデンティティと関連が高く、これを効率性を理由で取り入れようとする試みは大部分失敗した。
【００２５】
文字がないと知られている少数言語の大部分は知られていることとは違い、既に正書法体系を取り揃えている場合が多く、その大部分はその文字が属する国の支配的言語が使う文字またはローマ字に基盤している。これはローマ字が世界で最も広く通用する文字であると同時に、ヨーロッパで基盤しているが、比較的特定国家や民族の文化を代表しない中立性を持ち、多くの言語を表記するのに既に広く使われており、印刷やコンピューター処理などに簡潔であるという長所があるからである。何よりこれら少数言語を保存するために努力している人々がローマ字使用者であるからである。
【００２６】
それにも関らず、彼らは普通自分の母語を捨てて支配的言語を使用している。それは母語を維持するよりその国の支配的な言語を習得するのがずっと利得で、またその社会での生存に直結されるからである。これは方言の使用や保存より標準語の駆使が現実的に利得になることと広い意味で似ている。即ち、少数言語の保存は政治、経済、文化的自立など言語外的環境に大きく左右される。このような点で政治的影響力、経済的支援、学術的研究及び人道的サポートなどが裏付されない状態で、単純に科学的という理由だけで韓民族の民族的専有物に近いハングルが政治・宗教的に韓民族と密接な関係のない少数言語の文字として受け入れられることは難しい。
【発明の概要】
【発明が解決しようとする課題】
【００２７】
従って、本発明はこのような問題点を解決するために、誰もが容易に学んで書くことができ、世の中のすべての言語の発音と自然の音を表記することができる文字表示方法及びその方法を利用した文字入力方法を提供することに目的がある。
【課題を解決するための手段】
【００２８】
このような目的を達成するための時計形状に初声、中声及び終声を付与した文字表示方法は、時針の長さとその方向によって各子音を割り当てた初声、分針の長さとその方向によって各母音を割り当てた中声及び秒針長さを形状化して、上記初声のように子音を割り当て、その長さを最も短く表示した終声を含み、一つ以上の子音と母音を初声、中声、終声の組合原理によって組み合わせて音節を発生させるように構成される。
【００２９】
上記初声及び終声は
【００３０】
【数５】
2013516673.tif 000006
【００３１】
の８つからなる基本子音群に加画点を追加して濃音または激音を表示するようにし、上記中声は
【００３２】
【数６】
2013516673.tif 000007
【００３３】
の８つからなる基本母音群に加画点を追加して複母音を表示するようにして、上記基本子音群と基本母音群は
【００３４】
【数７】
2013516673.tif 000008
【００３５】
の８つからなる基本子音群と
【００３６】
【数８】
2013516673.tif 000009
【００３７】
の８つからなる基本母音群をそれぞれ時計の時針及び分針が指す１２時、１．５時、３時、４．５時、６時、７．５時、９時、１０．５時を基準にそれぞれ割り当て、上記基本子音群は上記時計の時針長さで表示し、上記基本母音群は時計の分針長さで表示して区別すると同時に、それぞれ初声と中声に設定して、上記基本子音群と基本母音群に画を一つずつ加えるための加画点を含み、上記のように割り当てられた基本子音群を終声に割り当てるが、上記初声と終声よりその長さを短くして表示するようにする。
【００３８】
具体的に、基本子音群は
【００３９】
【数９】
2013516673.tif 000010
【００４０】
の順に時針の１２時、１．５時、３時、４．５時、６時、７．５時、９時、１０．５時にそれぞれ割り当て、時計の中心から放射状に時針の長さだけそれぞれ表示し、上記基本母音群は
【００４１】
【数１０】
2013516673.tif 000011
【００４２】
の順に１２時、１．５時、３時、４．５時、６時、７．５時、９時、１０．５時にそれぞれ割り当てて、時計の中心から放射状に分針の長さだけそれぞれ表示する。
【００４３】
このような加画点は各
【００４４】
【数１１】
2013516673.tif 000012
【００４５】
の初声及び終声表示で１次加画点を追加すればそれぞれ
【００４６】
【数１２】
2013516673.tif 000013
【００４７】
の激音になり、２次加画点を追加すればそれぞれ
【００４８】
【数１３】
2013516673.tif 000014
【００４９】
の濃音に表示され、各
【００５０】
【数１４】
2013516673.tif 000015
【００５１】
の初声及び終声表示で１次加画点を追加すればそれぞれ
【００５２】
【数１５】
2013516673.tif 000016
【００５３】
に表示され、中声では１次加画で
【００５４】
【数１６】
2013516673.tif 000017
【００５５】
表示され、２次加画で
【００５６】
【数１７】
2013516673.tif 000018
【００５７】
３次加画で
【００５８】
【数１８】
2013516673.tif 000019
【００５９】
に表示されるようにできる。
【００６０】
また、上記終声を上記中声の終わり部分に付けて方向が識別されるようにして、縦字で表示することもでき、各音節を連結して書いて線字でも表示することができる。
【００６１】
また、時計形状に初声、中声及び終声を付与した文字表示方法は、時針の長さとその方向によって各子音を割り当てた初声、分針の長さとその方向によって各母音を割り当てた中声及び上記初声が上記中声の接近方向によって決められる終声を含み、一つ以上の子音と母音を初声、中声、終声の組合原理によって組み合わせて、音節を発生させることができる。
【００６２】
このような初声は
【００６３】
【数１９】
2013516673.tif 000020
【００６４】
の８つからなる基本子音群に加画点を追加して濃音または激音を表示するようにし、上記中声は
【００６５】
【数２０】
2013516673.tif 000021
【００６６】
の８つからなる基本母音群に加画点を追加して複母音を表示するようにし、上記終声は上記基本母音群それぞれに上記初声を上下左右に配列して表示するようにし、上記基本子音群は
【００６７】
【数２１】
2013516673.tif 000022
【００６８】
の順に時針の１２時、１．５時、３時、４．５時、６時、７．５時、９時、１０．５時にそれぞれ割り当て、時計の中心から放射状に時針の長さだけそれぞれ表示し、上記基本母音群は
【００６９】
【数２２】
2013516673.tif 000023
【００７０】
の順に１２時、１．５時、３時、４．５時、６時、７．５時、９時、１０．５時にそれぞれ割り当てて、時計の中心から放射状に分針の長さだけそれぞれ表示し、
【００７１】
【数２３】
2013516673.tif 000024
【００７２】
を互いに連結して一つの直線で表示し、上記終声は上記
【００７３】
【数２４】
2013516673.tif 000025
【００７４】
を互いに連結した水平直線の基本母音群に上記割り当てられた基本子音群を上記水平直線に順序に配列して上記
【００７５】
【数２５】
2013516673.tif 000026
【００７６】
の母音群に配列された終声を時計方向に４５度回転させて
【００７７】
【数２６】
2013516673.tif 000027
【００７８】
の母音群に終声を配列し、９０度回転させて
【００７９】
【数２７】
2013516673.tif 000028
【００８０】
の母音群に終声を配列し、−４５度回転させて
【００８１】
【数２８】
2013516673.tif 000029
【００８２】
の母音群に終声を配列して表示するようにする。
【００８３】
そして、形容詞または副詞語のような修飾語が表記される第１区域と助詞または語尾が表記される第２区域、及び名詞または代名詞が表記される第３区域からなる塊字で表示するようにすることもできる。
【００８４】
そして、本発明の時計形状に初声、中声及び終声を付与した文字表示方法において、時針の長さとその方向によって各子音を割り当てた初声及び終声、並びに分針の長さとその方向によって各母音を割り当てた中声を含んで、一つ以上の子音と母音を初声、終声、中声の組合原理によって音節を発生させるようにすることができる。
【００８５】
このような初声及び終声は「ｎ、ｇ、ｂ、ｚ、ｎｇ、ｓ、ｍ、ｄ」の８つからなる基本子音群に加画点を追加して子音または濃音を表示するようにし、上記中声は「ｏ、ｗａ、ａ、ｅ、ｕ、ｗｕｏ、ｕｅ、ｉ」の８つからなる基本母音群（母音または半母音）で表示するようにし、上記基本子音群と基本母音群は「ｎ、ｇ、ｂ、ｚ、ｎｇ、ｓ、ｍ、ｄ」の８つからなる基本子音群と「ｏ、ｗａ、ａ、ｅ、ｕ、ｗｕｏ、ｕｅ、ｉ」の８つからなる基本母音群をそれぞれ時計の時針及び分針が指す１２時、１．５時、３時、４．５時、６時、７．５時、９時、１０．５時を基準にそれぞれ割り当てて、上記基本子音群は上記時計の時針長さで表示し、上記基本母音群は時計の分針長さで表示して区別すると同時に、それぞれ初声と中声に設定し、上記基本子音群に画を一つずつ加えるための加画点を含み、上記加画点は上記基本子音群または上記基本母音群よりその長さを短くして表示するようにすることが好ましい。
【００８６】
上記加画点は各「ｎ、ｇ、ｂ、ｚ、ｎｇ、ｓ、ｍ、ｄ」の初声及び終声表示で１次加画点を追加すればそれぞれ「ｖ、ｋ、ｐ、ｃ、ｈ、ｘ、ｌ、ｔ」で表示し、「ｎ、ｇ、ｂ、ｚ、ｎｇ、ｍ、ｄ」の初声及び終声表示で２次加画点を追加すればそれぞれ「ｆ、ｇｇ、ｂｂ、ｚｚ、ｑ、ｒ、ｄｄ」の濃音に表示され、各「ｏ、ｗａ、ａ、ｅ、ｕ、ｗｕｏ、ｉ」の中声の音価表示で１次加画点を追加すればそれぞれ「ｙｏ、ｗｅ、ｙａ、ａｅ、ｙｕ、ｗｙ、ｕｉ」に表示され、「ｗａ、ｅ、ｗｕｏ」の基本中声表示で２次加画点を追加すればそれぞれ「ｗａｅ、ｙｅ、ｗｙｅ」に表示され、「ｅ」の基本中声表示で３次加画をすれば「ｙａｅ」にその音価が表示されることを特徴とする。
【発明の効果】
【００８７】
従って、本発明の文字表示方法によれば、初声、中声及び終声を時計の時針と分針及び秒針に配置して表示し、字の画数を減らすことができるとともに、音節連結して書いたり塊字で表現することができるので、より迅速且つ簡単に字を書くことができるとともに理解することができるという効果を奏する。
【００８８】
本発明の文字表示方法は、初声、中声、終声を集めて書く音節文字であり、且つ初声、中声、終声それぞれのアルファベットが固有音価を有している音節文字である。そして、各初声、中声、終声のアルファベットの上に加画さえすれば音価を追加的に配置することができるという資質性を有している。従って、初声８字に８字を加画することができ、中声８字に８字を加画することができ、終声８字に８字を加画することができるので、本文字表示方法で表現することができる自然の音は６４×６４×６４＝２６２,１４４の自然の音をそれぞれ表記することができる驚くべき音表現能力を有している。このような音表記能力はどの国の文字にもない本文字表示方法のみ有している技術である。全世界の音声記号に使っても可能であるのが本文字表示方法が有している源泉技術である。また、２６２,１４４字の自然の音を表示するのに使われるアルファベットの形体は４つのみ必要であるという優れたアルファベット識別も源泉技術であると言える。４つの形体のアルファベットは時針形体、分針形体、秒針形体、加画点の４つのアルファベットが使われるので、誰でも１時間以内に学んで覚えることができる独創的な効果がある。
【図面の簡単な説明】
【００８９】
【図１】ヘグル（Ｈａｅｇｕｌ）の初声の配置を説明するための参照図面である。
【図２】ヘグルの中声の配置を説明するための参照図面である。
【図３】基本初声８字の加画点によって濃音と激音に表示する方法を説明するための参照図面である。
【図４】基本母音８字の加画点によって複母音に表示する方法を説明するための参照図面である。
【図５】基本子音と基本母音で加画点を表記する方法を説明するための参照図面である。
【図６】一つ以上の子音と母音を初声、中声、終声の組合原理によって組み合わせて音節を表示する方法を説明するための図面である。
【図７】ヘグルを横に連結して書いた線字の一例を示した図面である。
【図８】ヘグルを縦に連結して書いた線字の一例を示した図面である。
【発明を実施するための形態】
【００９０】
本明細書及び特許請求の範囲に用いられた用語や単語は通常的や辞書的意味に限定して解釈されてはならなく、発明者は自分の発明を最も最善の方法で説明するために用語の概念を適切に定義することができるという原則に即して、本発明の技術的思想に符合する意味と概念に解釈されるべきである。
【００９１】
以下で用いられる用語は次のように定義する。
【００９２】
「ユノ文字」とは本発明で用いられる全ての字体を代表するが、特に「塊字（ｃｈｕｎｋ−ｂａｓｅｄ）」を言う。
【００９３】
「ヘグル」とはユノ文字の根幹となる字であって、時計を応用して作った字で、時計は太陽と連関が大きいことから「ヘグル」と名付ける。
【００９４】
「線字」とは単語を連結して書くと一つの長い線のように見えることから線字とし、線字を書く時は「ヘグル書き方」の原則を適用する。
【００９５】
以下、図面を参照して本発明の文字表記方法について説明する。
【００９６】
まず、図１〜図６を参照してヘグルの表記方法について説明すると、ヘグルは初声と中声及び終声に区分して表記する。初声は時計の時針長さを形状化して基本８字を作り、このような初声の基本８字に加画点を追加して残り１１字を生成する。
【００９７】
図１のヘグルの初声の配置を説明するための参照図面を参照すると、まず
【００９８】
【数２９】
2013516673.tif 000030
【００９９】
の８つからなる基本子音群を時計の時針が指す１２時、１．５時、３時、４．５時、６時、７．５時、９時、１０．５時を基準にそれぞれ割り当てる。
【０１００】
本発明では基本子音群割り当て方法の一例として
【０１０１】
【数３０】
2013516673.tif 000031
【０１０２】
の順に時針の１２時、１．５時、３時、４．５時、６時、７．５時、９時、１０．５時にそれぞれ割り当てて説明する。
【０１０３】
各音節の表示は時計の中心である開始点「Ｘ」を基準に時計の中心から決まった方向へ放射状に時針の長さだけそれぞれ表示すれば良い。
【０１０４】
例えば、図１及び図５の基本子音と基本母音で加画点を表記する方法を説明するための参照図面を見ると、
【０１０５】
【数３１】
2013516673.tif 000032
【０１０６】
は１．５時方向であるので、図５のように、基準点「Ｘ」から始まって時針の１．５時方向に斜線を引いて表示する。
【０１０７】
このような方法でヘグルの各初声を表示すれば次の表１の通りである。
【０１０８】
【表１】
2013516673.tif 000033
【０１０９】
このように、基本子音で８つを割り当て、濃音と激音は表１のような基本子音群に加画点を追加して表示するようにする。
【０１１０】
図３の基本初声８字の加画点によって激音と濃音に表示する方法を説明するための参照図面を参照すれば、基本音である
【０１１１】
【数３２】
2013516673.tif 000034
【０１１２】
に加画点を一つ追加すれば
【０１１３】
【数３３】
2013516673.tif 000035
【０１１４】
になり、加画点をもう一つ追加すれば
【０１１５】
【数３４】
2013516673.tif 000036
【０１１６】
になる。
【０１１７】
即ち、各
【０１１８】
【数３５】
2013516673.tif 000037
【０１１９】
の初声表示で、１次加画点を追加すればそれぞれ
【０１２０】
【数３６】
2013516673.tif 000038
【０１２１】
の激音になり、２次加画点を追加すればそれぞれ
【０１２２】
【数３７】
2013516673.tif 000039
【０１２３】
の濃音に表示され、各
【０１２４】
【数３８】
2013516673.tif 000040
【０１２５】
の初声表示で１次加画点を追加すればそれぞれ
【０１２６】
【数３９】
2013516673.tif 000041
【０１２７】
に表示されるようにして、初声である子音群を全部で１９字になるようにする。
【０１２８】
本発明では１次加画点で激音を表示し、２次加画点で濃音に変わることを説明したが、このような激音と濃音の変化はその手順を変えて表示することもできる。
【０１２９】
このような激音と濃音の表示方法は図５に示されている。即ち、図面のように、初声が終わる地点に加画点を追加することが好ましい。具体的に
【０１３０】
【数４０】
2013516673.tif 000042
【０１３１】
に加画点を一つ追加すれば
【０１３２】
【数４１】
2013516673.tif 000043
【０１３３】
になり、加画点をさらに一つ追加すれば
【０１３４】
【数４２】
2013516673.tif 000044
【０１３５】
になる。
【０１３６】
以下、中声の表記方法について説明する。
【０１３７】
図２はヘグルの中声の配置を説明するための参照図面で、まず、
【０１３８】
【数４３】
2013516673.tif 000045
【０１３９】
の８つからなる基本母音群を時計の分針が指す１２時、１．５時、３時、４．５時、６時、７．５時、９時、１０．５時を基準にそれぞれ割り当てる。
【０１４０】
本発明では基本母音群の割り当て方法の一例として、
【０１４１】
【数４４】
2013516673.tif 000046
【０１４２】
の順に時針の１２時、１．５時、３時、４．５時、６時、７．５時、９時、１０．５時にそれぞれ割り当てて説明する。
【０１４３】
各音節の表示は時計の中心である開始点「Ｘ」を基準に時計の中心から決まった方向へ放射状に分針の長さだけそれぞれ表示すれば良い。
【０１４４】
例えば、図２及び図５の参照図によれば、
【０１４５】
【数４５】
2013516673.tif 000047
【０１４６】
は１．５時方向であるので図５の下端左側の図のように、基準点「Ｘ」から始まって時針の１．５時方向へ斜線を引いて表示する。
【０１４７】
初声と同じ方法で、時計の分針形状に基本母音８つを割り当て、加画点を追加して複母音を表示する。
【０１４８】
即ち、図４の基本母音８字の加画点によって複母音に表示する方法を説明するための参照図面を参照すれば、中声では１次加画で
【０１４９】
【数４６】
2013516673.tif 000048
【０１５０】
表示され、２次加画で
【０１５１】
【数４７】
2013516673.tif 000049
【０１５２】
３次加画で
【０１５３】
【数４８】
2013516673.tif 000050
【０１５４】
に表示されるようにして、母音群が２０字になるようにする。
【０１５５】
母音中、
【０１５６】
【数４９】
2013516673.tif 000051
【０１５７】
は音表示がなくても初声子音の下に自然に
【０１５８】
【数５０】
2013516673.tif 000052
【０１５９】
を付けて発音することができるが、字の識別性を高めるために、初声の終りに（Ｘ点に当たる部分に）初声長さより短い長さで斜線を付けば良い。
【０１６０】
例えば
【０１６１】
【数５１】
2013516673.tif 000053
【０１６２】
にあたる表記方法が「／」であるので、
【０１６３】
【数５２】
2013516673.tif 000054
【０１６４】
の場合初声である「／」に開始点に短く
【０１６５】
【数５３】
2013516673.tif 000055
【０１６６】
を表示すれば
【０１６７】
【数５４】
2013516673.tif 000056
【０１６８】
になる。
【０１６９】
本発明では複母音の表示で
【０１７０】
【数５５】
2013516673.tif 000057
【０１７１】
１次加画で表示し、また２次加画で
【０１７２】
【数５６】
2013516673.tif 000058
【０１７３】
に、そして３次加画で
【０１７４】
【数５７】
2013516673.tif 000059
【０１７５】
に表示され、
【０１７６】
【数５８】
2013516673.tif 000060
【０１７７】
に表示することで説明したが、発音上の特性上、ハングルの
【０１７８】
【数５９】
2013516673.tif 000061
【０１７９】
ようにして用いることもできる。どの字を適用するかは文脈の流れで把握する。
【０１８０】
終声の表示方法は初声と同じである。
【０１８１】
即ち、
【０１８２】
【数６０】
2013516673.tif 000062
【０１８３】
の順に時針の１２時、１．５時、３時、４．５時、６時、７．５時、９時、１０．５時にそれぞれ割り当て、各音節の表示は時計の中心である開始点「Ｘ」を基準に時計の中心から放射状にその長さだけそれぞれ表示すれば良い。
【０１８４】
また、初声と同じく基本初声８字の加画点によって激音と濃音に表示するようにする。
【０１８５】
上述した初声、中声及び終声の表示は何れも時計の原理を利用するが、初声は時針長さで、中声は分針長さで、そして終声は初声と中声より短いほぼ点で表示して区別されるようにする。
【０１８６】
具体的に、初声は時針の長さに対応するので、分針にあたる中声より短く表示し、終声は初声よりももっと短く表示する。
【０１８７】
また、初声と中声及び終声の加画点はそれぞれ８つずつすることができる。
【０１８８】
以下、図面を参照して一つ以上の子音と母音を初声、中声、終声の組合原理によって組み合わせて音節を表示する方法について説明する。
【０１８９】
図６は一つ以上の子音と母音を初声、中声、終声の組合原理によって組み合わせて音節を表示する方法を説明するための図面で、
【０１９０】
【数６１】
2013516673.tif 000063
【０１９１】
に対する単語で実際に音節を表示する方法は次の通りである。
【０１９２】
まず、
【０１９３】
【数６２】
2013516673.tif 000064
【０１９４】
という単語の
【０１９５】
【数６３】
2013516673.tif 000065
【０１９６】
を見ると、初声が
【０１９７】
【数６４】
2013516673.tif 000066
【０１９８】
であるので、図５ａのように、
【０１９９】
【数６５】
2013516673.tif 000067
【０２００】
が位置する初声を表示し、中声が
【０２０１】
【数６６】
2013516673.tif 000068
【０２０２】
であるので、図５ｂのように、
【０２０３】
【数６７】
2013516673.tif 000069
【０２０４】
が位置する中声を表示し、終声が
【０２０５】
【数６８】
2013516673.tif 000070
【０２０６】
であるので、図５ｃのように、
【０２０７】
【数６９】
2013516673.tif 000071
【０２０８】
が位置する終声を捜した後、図５ｄのように、開始点Ｘを基準に、中声は分針の長さのように一番長く表示し、初声は時針にあたる長さで、中声より短く表示し、終声はその方向へ一番短く表示する。
【０２０９】
そして終声は開始点Ｘに付けて書かないで間隔を隔てて書く。
【０２１０】
同じ方法で、
【０２１１】
【数７０】
2013516673.tif 000072
【０２１２】
を表示すれば、図６のように、
【０２１３】
【数７１】
2013516673.tif 000073
【０２１４】
という単語が各音節で表示される。
【０２１５】
ここで、
【０２１６】
【数７２】
2013516673.tif 000074
【０２１７】
を見ると、初声
【０２１８】
【数７３】
2013516673.tif 000075
【０２１９】
が基本子音である
【０２２０】
【数７４】
2013516673.tif 000076
【０２２１】
に加画点を追加してこそ
【０２２２】
【数７５】
2013516673.tif 000077
【０２２３】
になるので、図面のように加画点が一つ追加されて表示される。
【０２２４】
このような音節は連結して書いて線字で表示するようにすることもできる。
【０２２５】
例えば、
【０２２６】
【数７６】
2013516673.tif 000078
【０２２７】
を見ると、各音節の終わり部分を連結して表記する。
【０２２８】
ヘグルで表示された
【０２２９】
【数７７】
2013516673.tif 000079
【０２３０】
を連結して書いて線字で表示すると図７のように表記される。
【０２３１】
図７はヘグルを横に連結して書いた線字の一例を示した図面で、各音節の節を連結すれば字が完成されることから、一度画を始めて最後の字まで完成することができるので、ずっと早く、且つ空間を節減して音節を表示することができる。
【０２３２】
また、字の連結は次の字の方向を自由に連結して使っても良い。
【０２３３】
図７では横に連結して書いたが、縦に連結して書いても良い。
【０２３４】
図８のヘグルを縦に連結して書いた一例を示した図面を参考すれば、縦に連結して書いた
【０２３５】
【数７８】
2013516673.tif 000080
【０２３６】
は図のように表示される。
【０２３７】
一方、ユノ文字では次の表２のように数字を表示することもできる。
【０２３８】
即ち、図１の初声表記で１２時方向から順次に割り当てて８つの数字を表記し、「９」と「１０（０）」は別途に次のように表記する。
【０２３９】
【表２】
2013516673.tif 000081
【０２４０】
本発明の実施形態では説明の便宜上時計の構造を利用して説明したが、同じ原理で八卦を見て八掛の中央を交差する８つの線を音価化して文字を作ったり、または円を８等分して、それぞれに音価を配置する方式も同じ原理で音価を割り当てることができる。
【０２４１】
また、本発明はこのような文字表示方法を利用すれば簡単に文字を入力することもできる。
【０２４２】
即ち、文字入力装置のキーボード形状を本発明の時計形状に配置して、該当する文字を入力すれば表示装置に本発明のヘグルや塊字をそのまま表示されるようにすることもでき、入力された音価にあたるハングルやローマ字を表記することができる。
【０２４３】
このような文字入力方法は前述した文字表示方法と同じ原理を利用するので、その具体的な説明は省略する。
【０２４４】
以上で、本発明は記載された具体例について詳しく説明されたが、本発明の技術思想の範囲内で多様な変形及び修正が可能であることは当業者にとって自明であり、このような変形及び修正が添付された特許請求の範囲に属することは明白である。
【産業上の利用可能性】
【０２４５】
文字を入力したり表示することができる装置に本発明の文字表示方法及び入力方法を利用することによって、より簡単且つ迅速に字を書いたり読むことができるとともに、簡単に入力することができて、意思疎通を簡単且つ早くすることができるという効果を奏する。
【図１】
2013516673.tif 000096
【図２】
2013516673.tif 000097
【図３】
2013516673.tif 000098
【図４】
2013516673.tif 000099
【図５】
2013516673.tif 000100
【図６】
2013516673.tif 000101
【図７】
2013516673.tif 000102
【図８】
2013516673.tif 000103